(57)【特許請求の範囲】
【請求項１】
放射線発生源からの放射線を検出し電気信号として出力する検出素子と、
前記検出素子を格子状に配置して形成される検出器と、
前記検出素子を複数回回転させながら放射線の曝射を行う回転手段と、
前記検出素子を複数選択して単位検出面を形成し、前記回転手段による回転の途中で前記単位検出面を前記検出器上において移動させ、該単位検出面毎に前記電気信号を読み出す信号読出し手段と、
前記単位検出面の移動の前後のデータを組み合わせて画像を生成する画像生成手段と、
を有することを特徴とする放射線撮像装置。
【請求項２】
選択する前記検出素子の組み合わせを変更することによって、前記単位検出面の面積を拡大、縮小することを特徴とする請求項１に記載の放射線撮像装置。
【発明の詳細な説明】
【０００１】
【発明の属する技術分野】
本発明は、例えばＸ線等の放射線を利用して画像撮影を行うＸ線ＣＴ装置等の放射線撮像装置に関し、特に、放射線を円錐（コーン）状に曝射し三次元的投影データを得るコーンビームＣＴ等の放射線撮像装置に関する。
【０００２】
【従来の技術】
従来、被検体に対してＸ線を曝射し、該被検体を透過或いは被検体で散乱したＸ線をＸ線検出器で検出し、このＸ線検出出力（Ｘ線のフォトン数）に基づいて被検体の透視画像、断層像或いは三次元画像を撮像するＸ線ＣＴ装置が知られている。
【０００３】
かかるＸ線ＣＴ装置として、図９に示すようなコーンビームＣＴが開発されている。このコーンビームＣＴとは、同図（ａ）に示すように、放射線をｚ方向にも厚みをもたせて円錐（コーン）状に曝射するものであり、同図（ｂ）に示すように、検出器を、検出素子をｚ方向（row方向）及びｃｈ方向の２方向に格子状に配置して構成し、これによって複数列分の投影データを一括して得るものである。
【０００４】
【発明が解決しようとする課題】
しかし、上述したコーンビームＣＴにおける検出素子は、検出器上に固定されているものであるため、スキャンの目的に応じてその位置を変更することができないという問題があった。
【０００５】
そのため、例えば検出器を複数回回転させてスキャンを行う場合に、１回転目と２回転目とで、Ｘ線ビームの検出位置を移動させて空間分解能を向上させたり、検出面積を拡大或いは縮小させて投影データ数を調節したりといった、複雑なデータ収集方式を採用できないという問題があった。
【０００６】
そこで、本発明は上述の課題に鑑みてなされたものであり、コーン状の放射線により撮像を行う放射線撮像装置において、Ｘ線ビームの検出位置や検出面積を変更可能とすることによって、複雑なデータ収集を可能にし、多様な放射線撮像を実現することのできる放射線撮像装置の提供を目的とする。
【０００７】
【課題を解決するための手段】
上記目的を達成する達成するために、本発明に係る放射線撮像装置は、放射線発生源からの放射線を検出し電気信号として出力する検出素子と、前記検出素子を格子状に配置して形成される検出器と、前記検出素子を複数回回転させながら放射線の曝射を行う回転手段と、前記検出素子を複数選択して単位検出面を形成し、前記回転手段による回転の途中で前記単位検出面を前記検出器上において移動させ、該単位検出面毎に前記電気信号を読み出す信号読出し手段と、前記単位検出面の移動の前後のデータを組み合わせて画像を生成する画像生成手段と、を有することを特徴とするものである。
【０００９】
【発明の実施の形態】
［第１の実施の形態］
（放射線撮像装置の全体構成）
以下、本発明の第１の実施形態に係る放射線撮像装置について、図面を参照しながら説明する。図１は、本実施形態に係る放射線撮像装置１の全体構成を模式的に示す斜視図である。
【００１０】
同図において、放射線撮像装置１は、図中ｘｙ平面内において被検体２を中心に回転しながら被検体２にＸ線ビームを曝射する線源３と、被検体２を挟んで線源３と対向配置されて線源３と共に回転し、線源３からのＸ線ビームを検出する検出器４とを有するものである。
【００１１】
なお、本実施形態では、被検体２は、図中ｚ方向に進退可能に設けられた寝台５上に載荷され、また、線源３及び検出器４はガントリー（図示せず）内に収納されている。さらに、本実施形態では、検出器４で得られたデータはデータ収集部６に収集された後、画像再構成装置７により画像再構成処理される。
【００１２】
（検出器の構成）
そして、本実施形態に係る検出器４は、図２に示すように、検出素子S11、S12、S13…が回転方向（ｃｈ方向）及び回転軸方向（row方向）の２方向に格子状に配置されて構成されている。
【００１３】
ここで、検出素子S11、S12、S13…は、線源３からのＸ線ビームを電荷として蓄積し、データ収集部６等のデータ処理手段に検出器出力を出力するものであり、例えば、アモルファスセレンからなるＸ線−電荷変換を行う層を有し、その下にＴＦＴマトリックスアレイを有するものである。
【００１４】
また、これらの検出素子S11、S12、S13…は、読み出しライン９によりｃｈ方向に、電気的に接続されている。この読み出しライン９は、各検出素子から出力される電荷を信号として読み出す信号読み出し回路１０に接続されている。
【００１５】
また、検出素子S11、S12、S13…からの出力のＯＮ、ＯＦＦは、読み出しコントロールライン８を介して読み出しコントロールラインドライバ１１によって制御される。この読み出しコントロールラインドライバ１１は、読み出しコントロールライン８によってrow方向に配列される複数の検出素子（例えば、S11、S21、S31…）に接続されており、これらの検出素子S11、S21、S31…を一括して制御するものである。
【００１６】
信号読み出し回路１０は、読み出しライン８を介して出力された電荷を、例えば電圧信号に変換し、ＡＤＣ等の通常の過程を経てデータ収集を行うものである。図３（ａ）〜（ｃ）にかかる信号読み出し回路１０の具体的構成を示す。
【００１７】
（信号読み出し回路の具体的構成）
かかる具体的構成の１例として同図（ａ）に示すものがある。すなわち、各読み出しライン９にチャージアンプ１２を設ける。このチャージアンプ１２は、読み出しライン９を介して出力される電荷を帰還コンデンサに蓄積し、その電荷に比例した信号電圧を出力するものである。このチャージアンプ１２から出力される信号電圧はマルチプレクサやＡＤＣでデジタル化しデータ収集される。この信号電圧を出力した後には、リセットＳＷにより帰還コンデンサの電荷をクリアし、次の電荷信号を受け取る。
【００１８】
さらに、必要に応じ同図（ｂ）に示す構成を採用する。すなわち、各チャージアンプ１２ａ、１２ｂに、それぞれ経路切り替えスイッチ１６ａ、１６ｂを設けるとともに、チャージアンプ１２ａ、１２ｂからの出力を加算する加算回路１５を接続する。
【００１９】
この加算回路１５は、隣接する読み出しライン９ａ、９ｂからの出力を束ねるものであり、加算した信号電圧をマルチプレクサ１７に出力するものである。また、経路切り替えスイッチ１６ａ、１６ｂは、チャージアンプ１２を加算回路１５又はマルチプレクサ１７に選択的に接続するものであり、信号電圧を加算せずにマルチプレクサ１７に出力するときはチャージアンプ１２とマルチプレクサ１７とを直接接続し、加算する場合には加算回路１５に接続する。
【００２０】
なお、図に示した例では、検出素子S11,S12,S21,S22からの出力を束ねている。すなわち、読み出しコントロールラインドライバ１１ａ、１１ｂをＯＮにするとともに１１ｃをＯＦＦにし、経路切り替えスイッチ１６ａ、１６ｂを加算回路１５側に接続することにより、検出素子S11,S12,S21,S22のみからの出力を束ねることができる。
【００２１】
また、さらに束ねの自在性をもたせるために図３（ｃ）に示す構成を採用することができる。すなわち、読み出しライン９ａ、９ｂ、９ｃ…とチャージアンプ１２との間にスイッチ１８ａ、１８ｂ、１８ｃ…を設ける。これらのスイッチ１８ａ、１８ｂ、１８ｃ…のうち、ＯＮとしたものに接続された読み出しライン９からの出力は、その合算値がチャージアンプ１２に読み込まれることとなる。これにより、row方向の束ねを自在に行うことができる。
【００２２】
なお、図に示した例では、検出素子S11,S12,S21,S22からの出力を束ねている。すなわち、読み出しコントロールラインドライバ１１ａ、１１ｂをＯＮにするとともに１１ｃをＯＦＦにし、スイッチ１８ａ、１８ｂをＯＮにするとともに１８ｃをＯＦＦにすることにより、検出素子S11,S12,S21,S22のみからの出力を束ねることができる。
【００２３】
（放射線撮像装置の動作及び作用）
そして、このような構造の検出器４では、任意の検出素子を複数選択することによって単位検出面を形成し、投影データは単位検出面毎に画像構成処理に供される。すなわち、上述した、読み出しコントロールラインドライバ１１や信号読み出し回路１０を適宜切り替えることにより、任意の検出素子からの出力を束ねて概念上の単位検出面とし、この単位検出面からの出力を一つの検出器出力として処理する。この単位検出面の形成にあたり、選択する検出素子の組み合わせを変更することによって、単位検出面を検出器上で移動させることができる。
【００２４】
かかる単位検出面を利用してスキャンを行う場合について、図４を参照にして説明する。本実施形態では、線源３及び検出器４を２回転させてスキャンを行い、２回転目に差し掛かる際に、単位検出面を検出器４上において回転方向（ｃｈ方向）に移動させる。
【００２５】
先ず、図４（ａ）に示すように、１回転目では、ｃｈ方向に隣り合う読み出しコントロールライン８を一組として同時にＯＮにするとともに、row方向に隣接する２本の読み出しライン９を順次ＯＮにしていく。
【００２６】
詳述すると、例えば読み出しコントロールライン８ａ及び８ｂのみをＯＮにした状態で、読み出しライン９ａ、９ｂをＯＮにする。これによって単位検出面G11に属する検出素子S11,S12,S21,S22に蓄積された電荷が出力される。
【００２７】
次いで、読み出しコントロールライン８ａ及び８ｂをＯＮにしたまま、読み出しライン９ｃ、９ｄをＯＮにする。これによって単位検出面G21に属する検出素子S31,S32,S41,S42に蓄積された電荷が出力される。これを読み出しコントロールライン８ａ及び８ｂに属する全ての単位検出面について行う。
【００２８】
その後、読み出しコントロールライン８ａ及び８ｂをＯＦＦにし、８ｃ及び８ｄをＯＮにする。この状態で、読み出しライン９ａ、９ｂをＯＮにする。これによって単位検出面G12に属する検出素子S13,S14,S23,S24に蓄積された電荷を出力する。そして、前述と同様の手順により、読み出しコントロールライン８ｃ及び８ｄに属する全ての単位検出面について行う。
【００２９】
同様にして、ｃｈ方向に順次、読み出しコントロールラインのＯＮ・ＯＦＦを切り替え全ての単位検出面についての読み出しを行う。
【００３０】
そして、２回転目に差し掛かった際に選択する検出素子の組み合わせを変更し、データの束ねかたを変えて単位検出面をｃｈ方向に移動させる。すなわち、１回転目では、例えば読み出しコントロールライン８ａ及び８ｂ、８ｃおよび８ｄ、８ｅ及び８ｆ…を一組として読み出したが、２回転目では、読み出しコントロールライン８ｂ及び８ｃ、８ｄ及び８ｅ…を一組として読み出しを行う。
【００３１】
これにより、例えば１回転目のときに検出素子S11,S12,S21,S22によって形成されていた単位検出面G11は、検出素子S12,S13,S22,S23によって形成される単位検出面G'11の位置に移動する。
【００３２】
このようにして得られた投影データは、図５に示すように、同一のrowすなわち同一の読み出しライン上で見ると、１回転目と２回転目の各rayは、回動角度が同一であれば同一のｘｙ平面内に存在することとなり、しかも１回転目におけるrayと２回転目におけるrayとでは、検出素子１個分すなわち単位検出面ピッチＰの半分の距離だけずれていることとなる。
【００３３】
従って、１回転目と２回転目のrayは相互に介挿関係にあることとなり、１回転目のデータと２回転目のデータとを組み合わせると、実質的にそのrowのデータは、半ピッチ（Ｐ／２）で１回転スキャンを行ったのと同等のものとなる。これにより高密度のサンプリングが実現されたこととなる。
【００３４】
そして、このようにして得られたデータは、周知のFeldkamp等に代表される処理方法によって、ｃｈ数が倍増した（サンプリングピッチがｃｈ方向に半減した）データとして扱うことができる。
【００３５】
このような本実施形態に係る放射線撮像装置１によれば、単位検出面を検出器４上で移動させるため、実質的なサンプリング位置を移動させることができ、多様な放射線撮像を実現することができる。特に、本実施形態では、単位検出面G11、G12…を回転方向（ｃｈ方向）に移動させるため、その移動量を調節することによってｃｈ方向のサンプリング数を増大することができｃｈ方向の空間分解能を向上させることができる。
【００３６】
（第１の実施形態の変更例）
なお、本実施形態では、ｃｈ方向及びrow方向に隣り合う計４個の検出素子を選択して単位検出面を形成するようにしたが、本発明はこれに限定されるものではない。
【００３７】
例えば、ｃｈ方向に３個ずつ或いは４個ずつ、検出素子を選択して単位検出面を形成するようにしてもよい。この場合には、スキャンの回数をそれぞれ３回、或いは４回とし、１回転毎に検出素子１個分、束ねの位置をｃｈ方向にずらすことによって、サンプリングピッチをそれぞれ１／３、１／４にすることができる。すなわち、ｃｈ方向にｎ個ずつまとめた場合には、最大でｎ回のスキャンを行い、これによりサンプリングピッチを最少１／ｎまで小さくすることができる。
【００３８】
［第２の実施の形態］
（放射線撮像装置の構成）
次いで、本発明の第２の実施形態に係る放射線撮像装置について説明する。なお、この第２の実施形態に係る放射線撮像装置の全体構成は、前述した第１の実施形態に係る放射線撮像装置１と同様である。すなわち、本実施形態における放射線撮像装置は、図１に示すように、被検体２に放射線を曝射する線源３と、被検体２を挟んで線源３と対向配置され且つ線源３からの放射線を検出する検出器４とを有している。
【００３９】
（単位検出面の形成）
そして、この第２の実施形態に係る放射線撮像装置では、前述した単位検出面を検出器４上においていわゆる千鳥配置することを特徴とする。図６は、本実施形態に係る単位検出面の配置を示すものである。
【００４０】
詳述すると、同図において、例えば、検出素子S21,S22,S31,S32によって単位検出面G11を形成するとともに、検出素子S13,S14,S23,S24によって単位検出面G12を形成する。すなわち、これら単位検出面G11、G12は半ピッチ（検出素子１個分）ずれて配置されている。
【００４１】
そして、単位検出面をｃｈ方向に所定ピッチ（本実施形態では読み出しライン２本分の距離）をもって直列配置して検出面列を複数列形成する。例えば、単位検出面G11,G21,G31はｃｈ方向に直列配置され検出面列L1を形成し、単位検出面G12,G22,G32はrow方向に直列配置され検出面列L2を形成する。これらの検出面列L1,L2…は、ｃｈ方向に半ピッチ（検出素子１個分）ずれて配置されていることとなる。
【００４２】
かかる千鳥配置された単位検出面から電荷を読み出す具体的な手順を以下に説明する。ここでは、信号読み出し回路としては、前述した第１の実施形態における図３（ｃ）に示したものと同様のものを採用する。
【００４３】
先ず、図６（ａ）に示すように、あるrowの読み出しコントロールライン（例えば８ａと８ｂ）をＯＮにし、この状態において、ｃｈ方向に束ねるライン分のスイッチ（例えば１８ｂ及び１８ｃ）をＯＮにする。これにより、単位検出面G11を構成する検出素子S21,S22,S31,S32に蓄積された電荷が読み出される。同様にして、同一のrowに属するすべての単位検出面G21、G31…の電荷を読み出す。
【００４４】
その後、同図（ｂ）に示すように、読み出しコントロールライン８ａ及び８ｂをＯＦＦにするとともに、８ｃ及び８ｄをＯＮにする。この状態において、ｃｈ方向に１ラインずらして、束ねるライン分のスイッチ例えば１８ａ、１８ｂをＯＮにする。これによって、半ピッチずれて配置された単位検出面G12を構成する検出素子S13,S14,S23,S24に蓄積された電荷が読み出される。同様にして、同一のrowに属するすべての単位検出面G22、G32…の電荷を読み出す。
【００４５】
この場合において、束ねるラインの数を調節することにより単位検出面の面積を拡大、縮小することができる。例えば、空間分解能はさほど追求しないが、広い視野を一度にスキャンしたい場合は、束ね単位を大きくし、反対に、空間分解能を追求するが一度にスキャンしたい視野は狭くてもやむを得ないときには、束ね単位を小さくする。
【００４６】
このように単位検出面の面積を変化させることにより、データの読み出し速度の限界から所定のスキャン時間内に処理を行う必要がある場合などに、空間分解能と視野とのバランスを調整することができる。
【００４７】
［第３の実施の形態］
（放射線撮像装置の構成）
次いで、本発明の第３の実施形態に係る放射線撮像装置について説明する。なお、この第３の実施形態に係る放射線撮像装置の全体構成は、前述した第１の実施形態に係る放射線撮像装置１と同様である。
【００４８】
本実施形態においても、検出素子を複数選択することによって単位検出面を形成し、上述したように、読み出しコントロールラインドライバ１１や信号読み出し回路１０を適宜切り替えて選択する検出素子の組み合わせを変更することによって、単位検出面を検出器上で移動させることができる。
【００４９】
（単位検出面の形成）
特に、本実施形態では、線源３及び検出器４を２回転させてスキャンを行い、２回転目に差し掛かる際に、単位検出面を検出器４上において回転軸方向（row方向）に移動させる。かかる単位検出面の移動の方法を図７に示す。
【００５０】
先ず、図７（ａ）に示すように、１回転目では、例えば検出素子S11,S12,S21,S22を束ねて単位検出面G11となるように選択する。かかる単位検出面の形成は前述した第１の実施形態と同様の方法による。
【００５１】
すなわち、例えば読み出しコントロールライン８ａ及び８ｂをＯＮにしたまま、row方向に２ラインずつ束ねながら、順次読み出しライン９をＯＮにする。これによって読み出しコントロールライン８ａ及び８ｂに属する全ての単位検出面について行う。同様にして、ｃｈ方向に順次、読み出しコントロールラインのＯＮ・ＯＦＦを、２ラインずつ切り替え全ての単位検出面についての読み出しを行う。
【００５２】
そして、２回転目に差し掛かった際に、図７（ｂ）に示すように、選択する検出素子の組み合わせを変更し、データの束ねかたを変えて単位検出面をrow方向に移動させる。
【００５３】
すなわち、１回転目では、例えば読み出しライン９ａ及び９ｂ、９ｃ及び９ｄ、９ｅ及び９ｆ…を一組として読み出したが、２回転目では、読み出しライン９ｂ及び９ｃ、９ｄ及び９ｅ…を一組として読み出しを行う。
【００５４】
これにより、例えば１回転目のときに検出素子S11,S12,S21,S22によって形成した単位検出面G21は、検出素子S21,S22,S31,S32によって形成された単位検出面G'11の位置に移動されることとなる。
【００５５】
（放射線撮像装置の動作及び構成）
このようにして得られた投影データは、図８（ａ）及び（ｂ）に示すように、同一のｃｈ方向すなわち同一の読み出しコントロールライン上で見ると、１回転目におけるrayと２回転目におけるrayとでは、検出素子１個分すなわち単位検出面ピッチＰの半分の距離だけｚ方向にずれていることとなる。
【００５６】
従って、１回転目と２回転目のrayは相互に介挿関係にあることとなり、同図（ｃ）に示すように、１回転目のデータと２回転目のデータとを組み合わせると、実質的にＺ方向にピッチ半分、数は２倍の検出器列を並べた状況で１回転スキャンを行ったのと同等のものとなる。これにより高密度のサンプリングが実現されたこととなる。
【００５７】
そして、このようにして得られたデータを画像再構成に供するには、例えば、足して稠密なサンプリング相当のデータにした結果を、周知のFeldkamp等に代表されるコンボリューションと逆投影とを基本とする３Ｄボクセルデータ画像再構成アルゴリズムによって処理する。これにより、ｚ方向のデータピッチが半分になり、ｚ方向の補間によるぼけが半分になり、ｚ方向の空間分解能が向上することとなる。
【００５８】
（第３の実施形態の変更例）
なお、かかる単位検出面のrow方向への移動は、図３（ａ）〜（ｃ）に示した構造のいずれでも実現可能である。以下にそれを説明する。
【００５９】
図３（ｃ）に示した構造では、前述の説明をそのまま実行できる。また、図３（ａ）に示した構造では、読み出しコントロールの制御だけが実現される。ただし、図７と同様のことを実現するには、読み出しコントロールラインを図の横方向に走らせ、即ち図の縦方向をrow方向として扱い、読み出しラインを図の縦方向に走らせ、即ち図の横方向をｃｈ方向として扱うこととなる。つまり、ｃｈ方向のラインに読み出しコントロールを設けるようにする。なお、ｃｈ方向の束ねはできないという制約があるが、これは第３の実施形態の本旨とは関係はない。
【００６０】
また、前述した図３（ｂ）に示す構造では、ｃｈ方向のライン上に経路切り替えスイッチを設けたが、これをrow方向のライン上に設けるようにするとともに、ｃｈ方向のラインに読み出しコントロールを設けるようにすれば、容易にrow方向への単位検出面の移動を実現することができる。
【００６１】
さらに、本実施形態においても、ｃｈ方向及びrow方向に隣り合う計４個の検出素子を選択して単位検出面を形成するようにしたが、本発明はこれに限定されるものではない。
【００６２】
例えば、ｚ方向に３個ずつ或いは４個ずつ、検出素子を選択して単位検出面を形成するようにしてもよい。この場合には、スキャンの回数をそれぞれ３回、或いは４回とし、１回転毎に検出素子１個分束ねの位置をrow方向にずらすことによって、ｚ方向のサンプリングピッチをそれぞれ１／３、１／４にすることができる。すなわち、row方向にｎ個ずつまとめた場合には、少なくともｎ回のスキャンを行い、これによりサンプリングピッチを１／ｎとすることができる。
【００６３】
以上の説明は、コーンビームを用いたＸ線ＣＴ装置について本発明を述べたものである。そしてこのＸ線ＣＴ装置は検出器とＸ線源が対向して回転するものであった。しかし、本発明（複数の内容を含むがその一部）は、その他の種々の場合についても適用できる。
【００６４】
例えば、別のタイプのコーンビームＣＴについても適用できる。別のタイプのコーンビームＣＴには、例えばＸ線源は被検体の周囲を回動するが、検出器は被検体の周囲に固定配置されているものがある。さらに別のタイプのコーンビームＣＴとしては、検出器もＸ線源も被検体の周囲を３６０度回動せずに、１８０度前後の回動でスキャン終了とする回転ＤＳＡ装置にＣＴ機能を持たせた装置があり、これにも本発明を適用することができる。
【００６５】
さらにまた、放射線とは被検体を通過した放射線で説明したが、エミッションＣＴのように被検体内から発した放射線であっても適用できる。また、放射線とはＸ線のような高エネルギーのものと想定して説明したが、例えば赤外線のような高いエネルギーの電磁波でも適用でき、この場合は光ＣＴが具体例として挙げられる。
【００６６】
【発明の効果】
本発明に係る放射線撮像装置によれば、コーン状の放射線により撮像を行う放射線撮像装置において、Ｘ線ビームの検出位置や検出面積を変更可能とすることによって、複雑なデータ収集を可能にし、多様な放射線撮像を実現することができる。
【図面の簡単な説明】
【図１】本発明に係る放射線撮像装置を適用した第１の実施形態に係る放射線撮像装置の全体構造を示す斜視図である。
【図２】第１の実施形態に係る検出器を示す上面図である。
【図３】第１の実施形態に係る信号読みだし回路の具体的構成を示す上面図である。
【図４】第１の実施形態に係る検出器を示す上面図である。
【図５】第１の実施形態に係る放射線撮像装置によってスキャンした際の１回目と２回目のrayをｚ方向から見た図である。
【図６】本発明に係る放射線撮像装置を適用した第２の実施形態に係る放射線撮像装置の検出器の上面図である。
【図７】本発明に係る放射線撮像装置を適用した第３の実施形態に係る放射線撮像装置の検出器の上面図である。
【図８】第３の実施形態に係る放射線撮像装置によってスキャンした際の１回目と２回目のrayをｘ方向から見た図である。
【図９】従来のＸ線撮像装置の説明図であり、（ａ）はコーンビームを説明するものであり、（ｂ）は従来の検出器の上面図である。
【符号の説明】
１…放射線撮像装置、２…被検体、３…線源、４…検出器、５…寝台、６…データ収集部、７…画像再構成装置
【図１】
0004443650.tif 000002
【図２】
0004443650.tif 000003
【図３】
0004443650.tif 000004
【図４】
0004443650.tif 000005
【図５】
0004443650.tif 000006
【図６】
0004443650.tif 000007
【図７】
0004443650.tif 000008
【図８】
0004443650.tif 000009
【図９】
0004443650.tif 000010